(57)【要約】【課題】  回路基板の組み付け作業性の優れた光源装置を提供する。【解決手段】  筐体となるレーザホルダと、該レーザホルダに固定された少なくとも１つの光源と、該光源を発光制御させる回路基板を有する光源装置において、  前記レーザホルダに、回路基板挿入部が形成されており、  前記回路基板には、該回路基板の少なくとも１つの端面に対して片側が開放されたスリット部が形成されており、  前記回路基板は前記回路基板挿入部に挿入され、前記スリット部近傍で前記光源と前記回路基板が電気的に接続される構成とする。【選択図】  図１
2009036855.tif 000002
【特許請求の範囲】
【請求項１】
筐体となるレーザホルダと、該レーザホルダに固定された少なくとも１つの光源と、該光源を発光制御させる回路基板を有する光源装置において、
前記レーザホルダに、回路基板挿入部が形成されており、
前記回路基板には、該回路基板の少なくとも１つの端面に対して片側が開放されたスリット部が形成されており、
前記回路基板は前記回路基板挿入部に挿入され、前記スリット部近傍で前記光源と前記回路基板が電気的に接続される
ことを特徴とする光源装置。
【請求項２】
回路基板が、弾性部材を用いてレーザホルダに固定されていることを特徴とする請求項１に記載の光源装置。
【請求項３】
回路基板に形成されたスリット部に、テーパ形状が設けられていることを特徴とする請求項１に記載の光源装置。
【発明の詳細な説明】
【技術分野】
【０００１】
本発明は、レーザプリンタやレーザファクシミリ等の画像形成装置に用いられる光源装置、および、それを用いた走査光学装置に関するものである。
【背景技術】
【０００２】
レーザビームプリンタ等の画像形成装置に用いられる走査光学装置は、高速回転する回転多面鏡によってレーザビーム等の光ビームを反射させてこれを偏向走査し、得られた走査光を回転ドラム上の感光体に結像させて静電潜像を形成する。次いで、感光体の静電潜像を現像装置によってトナー像に顕像化し、これを記録紙などの記録媒体に転写して定着装置に送り、記録媒体上のトナーを加熱定着させることで印刷が行われる。
【０００３】
この種の走査光学装置に搭載される光源装置としては、特許文献１の図１に示されるようなものが一般的である。それは、光源となる半導体レーザが圧入などの手段によりレーザホルダに固定され、半導体レーザのリードピンが回路基板に設けられたリードピン貫通穴に挿入された状態で、固定ビスにより回路基板がレーザホルダに固定される、というものであった。
【特許文献１】特開２００４−９５９９４
【発明の開示】
【発明が解決しようとする課題】
【０００４】
しかしながら上記従来技術の光源装置においては、光源装置の組立において回路基板を取り付ける際に、半導体レーザのリードピンを回路基板にぶつけてしまう事があり、作業性が悪く、かつリードピンが座屈してしまい組立不良が起きる可能性がある、という問題点がある。
【０００５】
上記問題を解決するために、例えば、回路基板に設けるリードピン貫通穴の径を大きくするという手段があるが、その場合、リードピンを通した後のハンダ付け工程でハンダ付け不良が生じやすくなる、という別の問題が発生する。
【０００６】
本発明の目的は、上記の問題点を解決し、組立作業性に優れた光源装置を提供することにある。
【課題を解決するための手段】
【０００７】
上記目的を達成するため、本発明に係る光源装置は、
筐体となるレーザホルダと、該レーザホルダに固定された少なくとも１つの光源と、該光源を発光制御させる回路基板を有する光源装置において、
前記レーザホルダに、回路基板挿入部が形成されており、
前記回路基板には、該回路基板の少なくとも１つの端面に対して片側が開放されたスリット部が形成されており、
前記回路基板は前記回路基板挿入部に挿入され、前記スリット部近傍で前記光源と前記回路基板が電気的に接続される
ことを特徴とする。
【０００８】
また、回路基板が、弾性部材を用いてレーザホルダに固定されていると良い。
【０００９】
さらに、回路基板に形成されたスリット部に、テーパ形状が設けられていると、なお良い。
【発明の効果】
【００１０】
以上説明したように、本発明に係る走査光学装置においては、
レーザホルダに設けられた回路基板挿入部に回路基板が挿入されるため回路基板が正確に位置決めされ、また、半導体レーザのリードピンが回路基板に形成されたスリット部に収まる構成となっているため、穴部に挿入する場合と比べてリードピンが回路基板に導入されやすい構成となっており、回路基板組み付け時に、半導体レーザのリードピンが回路基板にぶつかるということを回避することができるため、組立作業性に優れた光源装置を提供することができる。
【発明を実施するための最良の形態】
【００１１】
以下、本発明の詳細を実施例の記述に従って説明する。
【実施例１】
【００１２】
図１〜図２を用いて、本発明に係る光源装置について説明する。
【００１３】
図１は本発明に係る光源装置Sの構成を示す図である。図1(a)、図１(b)は光源装置Sの斜視図、図１(c)は光源装置Sの断面図、図１（ｄ）は半導体レーザと回路基板が接続される部分の拡大図である。
【００１４】
１０は筐体となるレーザホルダであり、半導体レーザ１１、コリメータレンズ１２、回路基板１３が取り付けられる。なお、レーザホルダ１０には、半導体レーザが圧入固定される穴部１０ａ、絞り１０ｂ、コリメータレンズ保持部１０ｄ、基板挿入部１０ｅ、弾性部材固定部１０ｆがそれぞれ設けられている。また、回路基板１３には駆動ＩＣ１３ａ等の電子部品が実装されており、半導体レーザ１１のリードピン１１ａに対応する位置にスリット部１３ｂが形成されていて、その近傍には半導体レーザと接続される半田パターン部１３ｃが設けられている。さらに、スリット部１３ｂの、基板端部側には、テーパ状の挿入ガイド部１３ｄが形成されている。
【００１５】
半導体レーザ１１は、圧入等の公知の手段により穴部１０ａに固定され、回路基板１３により画像情報等に応じて発光制御される。半導体レーザ１１から出射した光ビームは、絞り１０ｂによって整形され、コリメータレンズ１２により略平行光化され、光源装置Ｓから出射される。回路基板１３は、レーザホルダ１０に設けられている基板挿入部１０ｅに挿入されており、弾性部材１４によってレーザホルダ１１に加圧固定されている。また、リードピン１０ａは半田パターン部１３ｃで半田付けされており、半導体レーザ１１と回路基板１３が電気的に接続されている。
【００１６】
次に、本発明に係る光源装置Ｓの組立方法について説明する。
【００１７】
図２(a)〜図２(b)は、光源装置Sの組立方法について順次説明した図である。
【００１８】
まず、筐体となるレーザホルダ１０の穴部１０ａに、圧入などの公知の手段により、半導体レーザ１１が固定される。（図中、矢印A）次に、光源装置Sから所望の光ビームが出射されるように、従来から一般的に行われているように、コリメータレンズ１２の位置調整を行う。組立用工具により半導体レーザ１１を発光させ、コリメータレンズ１１の光軸方向位置を調整することによりピント調整を、また、光軸と直交する２方向に調整することによりビーム照射位置調整を行うという、いわゆるコリメータレンズの３次元調整を行った後、あらかじめコリメータレンズ保持部１０ｄに塗布された紫外線硬化型接着剤を硬化させ、コリメータレンズ１２をレーザホルダ１０に固定する。（図中、矢印B）
次に、回路基板１３の組み付けを行う。
【００１９】
前述のように、レーザホルダ１０には基板挿入部１０ｅが設けられている。回路基板１３の組み付けにあたっては、まず回路基板１３を基板挿入部１０ｅに挿入する。（図中、矢印Ｃ）基板挿入部１０ｅの幅は回路基板１３の外形とほぼ同一寸法となるように形成されており、基板挿入部１０ｅによって回路基板１３の位置決めが行われる。このとき、図１（ｄ）に示されるように、半導体レーザのリードピン１１ａが回路基板１３に形成されたスリット部１３ｂに収まることになる。なお、回路基板１３が挿入されるにあたり、スリット部１３ｂの回路基板端部側には挿入ガイド部１３ｄが形成されているため、基板挿入部１０ｅの製作寸法誤差などにより多少回路基板１３の位置ずれが生じても、リードピン１１ａがスムーズにスリット部１３ｂに収容される構成になっている。そして、弾性部材１４を弾性部材固定部１０ｆに挿入することにより、回路基板１３がレーザホルダ１０に対して加圧固定される。なお、弾性部材１４が発生する、回路基板を加圧する加圧力は、光源装置が受ける衝撃に耐え得る、最低限必要な荷重となるように、弾性部材１４は設計されている。
【００２０】
そして最後に、回路基板上の半田パターン部に半田付け作業を行うことにより、半導体レーザ１１と回路基板１３が電気的に接続され、光源装置Ｓが完成する。
【００２１】
本実施例の光源装置においては、上述のように、レーザホルダに基板挿入部１０ｅが形成されており、そこに回路基板１３が挿入される構成をとっているため、光源装置の組立時に、半導体レーザのリードピン１１ａが回路基板１３にぶつかってしまう事を回避することができるため、組立作業性に優れた光源装置を提供することができる。
【００２２】
さらに、本実施例の光源装置は、基板組み付け時のビーム照射位置の変動が発生しにくい、という別の効果も有する。従来技術の項で述べた、特許文献１に記載されているような光源装置では、固定ビスを用いて回路基板をレーザホルダに固定するため、回路基板の反りなどの影響を受け、固定ビスを締め付けるときにレーザホルダが変形してしまい、光源装置からの出射ビームの照射位置ずれなどが発生してしまうことが避けられなかった。しかし、本実施例の光源装置では、回路基板１３が基板挿入部１０ｅに挿入され、弾性部材１４により必要最低限の荷重でレーザホルダ１０に固定される構成をとっているため、従来の光源装置で発生していた照射位置変動の発生を防止することができる、という別の効果も有している。
【００２３】
なお、本実施例の説明では、半導体レーザとコリメータレンズを２個ずつ搭載した光源装置の図を用いて説明したが、この構成に限定される必要はなく、１個ずつ、あるいは４個ずつ等、類似した構成の光源装置であっても同様な効果が得られることに変わりはない。回路基板１３についても、本実施例の図の様に複数の半導体レーザを１枚の回路基板で駆動する構成に限定する必要はなく、分割された回路基板であっても構わない。
【００２４】
また、本実施例の説明では、半導体レーザとコリメータレンズを先にレーザホルダに固定し、最後に回路基板を組み付けるという組立工程について説明したが、半導体レーザをレーザホルダに固定後、先に回路基板を組み付け、最後にコリメータレンズの調整・固定を行って光源装置を完成させる、という組立工程としても構わない。
【００２５】
さらに、本実施例の説明では、光源装置の筐体となるレーザホルダに基板挿入部を設け、そこに回路基板が挿入される形態について説明したが、回転多面鏡・走査レンズなどが搭載された光学箱に半導体レーザが固定される形態の走査光学装置に本実施例の技術を適用し、光学箱に基板挿入部を形成し、そこに回路基板を挿入する構成をとることもできる。その場合、回路基板の固定に際しては、本実施例での説明のように弾性部材を用いてもよいし、走査光学装置のカバーの一部に設けられた弾性部分を用いて回路基板を加圧固定することも可能である。
【図面の簡単な説明】
【００２６】
【図１】本発明に係る第１の実施例の光源装置を示す図。
【図２】第１の実施例の光源装置の組立工程について説明する図。
【符号の説明】
【００２７】
１０  レーザホルダ
１０ｅ  基板挿入部
１１  半導体レーザ
１２  コリメータレンズ
１３  回路基板
１３ｂ  スリット部
１４  弾性部材
【図１】
2009036855.tif 000003
【図２】
2009036855.tif 000004